(57)【要約】【課題】透明性を備えた樹脂製の消火剤貯蔵容器の安全性の向上及び周囲の美観を損なわない消火剤貯蔵容器及び消火器を提供する。【解決手段】  本発明の１つの消火剤貯蔵容器１１は、開口部となる口部１４を有し、顔料を含む樹脂を用いて継ぎ目なく成形される。加えて、本発明の１つの消火剤貯蔵容器１１は、４００ｎｍ以上８００ｎｍ以下のいずれの光においても、消火剤貯蔵容器１１の外側から消火剤貯蔵容器１１の内側への透過率が７５％以下である。【選択図】図３
2010221007.tif 000002
【特許請求の範囲】
【請求項１】
消火器用の消火剤貯蔵容器であって、
顔料を含む樹脂を用いて継ぎ目なく成形され、
４００ｎｍ以上８００ｎｍ以下のいずれの光においても、前記消火剤貯蔵容器の外側から前記消火剤貯蔵容器の内側への透過率が７５％以下である
消火剤貯蔵容器。
【請求項２】
消火器用の消火剤貯蔵容器であって、
開口部となる口部、肩部、円筒形状の胴部、及び底部を有するとともに、樹脂を用いて継ぎ目なく成形され、
少なくとも前記胴部の外周表面上又はその上方に顔料を含む層を有し、かつ、４００ｎｍ以上８００ｎｍ以下のいずれの光においても、前記顔料を含む層の外側から前記消火剤貯蔵容器の内側への透過率が７５％以下である
消火剤貯蔵容器。
【請求項３】
蓄圧式消火器に用いられる
請求項１に記載の消火剤貯蔵容器。
【請求項４】
顔料を含む樹脂を用いて継ぎ目なく成形される消火剤貯蔵容器を備え、
４００ｎｍ以上８００ｎｍ以下のいずれの光においても、前記消火剤貯蔵容器の外側から前記消火剤貯蔵容器の内側への透過率が７５％以下である
消火器。
【請求項５】
開口部となる口部、肩部、円筒形状の胴部、及び底部を有するとともに、樹脂を用いて継ぎ目なく成形される消火剤貯蔵容器を備え、
少なくとも前記胴部の外周表面上又はその上方に顔料を含む層を有し、かつ、４００ｎｍ以上８００ｎｍ以下のいずれの光においても、前記顔料を含む層の外側から前記消火剤貯蔵容器の内側への透過率が７５％以下である
消火器。
【請求項６】
前記消火器が蓄圧式消火器である
請求項４に記載の消火器。
【発明の詳細な説明】
【技術分野】
【０００１】
本発明は、消火剤貯蔵容器及びその消火剤貯蔵容器を備えた消火器に関するものである。
【背景技術】
【０００２】
従来の消火器に使用される消火剤貯蔵容器は、鉄、ステンレス、アルミニウムなどの金属から製造されている。その中でも鉄製の消火剤貯蔵容器は、頑丈で破損しにくく、製造コストが安価であるため、市場に出される消火器数の約９割に対して鉄が使用されているのが現状である。
【０００３】
他方、樹脂製の消火剤貯蔵容器を備えた消火器の例が開示されている。１つの文献には、樹脂製の消火剤貯蔵容器の弱点であった低い耐圧性能であっても保持されるように、充填圧力が可能なかぎり低下された消火器が開示されている（特許文献１）。また、他の１つの文献には、清涼飲料水やアルコール飲料などに用いられる薄肉のポリエチレンテレフタレート（ＰＥＴ）の廃品を利用した消火器が開示されている（特許文献２）。
【先行技術文献】
【特許文献】
【０００４】
【特許文献１】実開昭５６−１６０５６０号公報
【特許文献２】特開平９−３１３６３４号公報
【発明の概要】
【発明が解決しようとする課題】
【０００５】
しかし、上述のような樹脂製の消火剤貯蔵容器が採用されることによって新たに引き起こされる特有の問題も存在する。例えば、消火器という製品の特殊性から、法令等によって消火器の設置間隔が定められている結果、窓際等、直射日光が当たる場所への設置を余儀なくされる場合も生じ得る。ここで、透明性を有する樹脂が消火剤貯蔵容器の材料として採用される場合、入射する日光がその容器を通過するだけでなく、光の屈折によって万一にもある場所に焦点を結ぶことになれば、壁面等に焦げつきを生じさせる虞も完全には否定できない。また、透明性を備えた消火剤貯蔵容器が採用されると、収められている消火剤の壁面への付着が消火器の汚れに見えてしまうことにより、消火器が設置される場所の周囲の美観が損われる虞がある。
【課題を解決するための手段】
【０００６】
本発明は、上述の課題を解消することにより、透明性を備えた樹脂製の消火剤貯蔵容器の安全性の向上及び周囲の美観を損なわない消火器の実現に大きく貢献するものである。
【０００７】
発明者は、樹脂製の消火剤貯蔵容器の利点を残しつつ、その弱点ともなり得る透明性の影響について鋭意研究を重ねた。その結果、発明者は、内部の消火剤がある程度視認され得る透明性を発揮しつつ、安全で、周囲の美観を保ち得る消火器の構成を見出すことに成功した。
【０００８】
本発明の１つの消火剤貯蔵容器は、消火器用の消火剤貯蔵容器である。この消火剤貯蔵容器は、顔料を含む樹脂を用いて継ぎ目なく成形され、４００ｎｍ以上８００ｎｍ以下のいずれの光においても、前述の消火剤貯蔵容器の外側からその消火剤貯蔵容器の内側への透過率が７５％以下である。
【０００９】
この消火剤貯蔵容器によれば、顔料を含む樹脂を用いて成形されているため、この消火剤貯蔵容器に入射する光が顔料により乱反射される。これにより、消火剤貯蔵容器を通過する光が焦点を結ぶことが確度高く防止される。また、消火剤貯蔵容器に入射する光が顔料により乱反射されることにより、消火剤貯蔵容器の内部が視認され難くなる。その結果、収められている消火剤の壁面への付着が消火器の汚れに見えてしまうという虞が大幅に低減される。従って、安全で、かつ消火器が設置される場所の周囲の美観が損なわれない消火剤貯蔵容器が実現される。
【００１０】
また、本発明の他の１つの消火剤貯蔵容器は、消火器用の消火剤貯蔵容器である。この消火剤貯蔵容器は、開口部となる口部、肩部、円筒形状の胴部、及び底部を有するとともに、樹脂を用いて継ぎ目なく成形され、少なくとも前述の胴部の外周表面上又はその上方に顔料を含む層を有し、かつ、４００ｎｍ以上８００ｎｍ以下のいずれの光においても、前述の顔料を含む層の外側から消火剤貯蔵容器の内側への透過率が７５％以下である。
【００１１】
この消火剤貯蔵容器によれば、少なくとも胴部の外周表面上又はその上方に顔料を含む層を有するため、この消火剤貯蔵容器の胴部に入射する光が顔料を含む層により乱反射される。これにより、消火剤貯蔵容器を通過する光が焦点を結ぶことが確度高く防止される。また、消火剤貯蔵容器に入射する光が顔料を含む層により乱反射されることにより、消火剤貯蔵容器の内部が視認され難くなる。その結果、収められている消火剤の壁面への付着が消火器の汚れに見えてしまうという虞が大幅に低減される。従って、安全で、かつ消火器が設置される場所の周囲の美観が損なわれない消火剤貯蔵容器が実現される。
【００１２】
また、本発明の１つの消火器は、顔料を含む樹脂を用いて継ぎ目なく成形される消火剤貯蔵容器を備え、４００ｎｍ以上８００ｎｍ以下のいずれの光においても、前述の消火剤貯蔵容器の外側からその消火剤貯蔵容器の内側への透過率が７５％以下である。
【００１３】
この消火器によれば、その消火器の消火剤貯蔵容器を形成する樹脂の顔料が、この消火剤貯蔵容器に入射する光を乱反射させる。これにより、消火剤貯蔵容器を通過する光が焦点を結ぶことが確度高く防止される。また、消火剤貯蔵容器に入射する光が顔料により乱反射されることにより、消火剤貯蔵容器の内部が視認され難くなる。その結果、収められている消火剤の壁面への付着が消火器の汚れに見えてしまうという虞が大幅に低減される。従って、安全で、かつ消火器が設置される場所の周囲の美観が損なわれない消火器が実現される。
【００１４】
また、本発明の他の１つの消火器は、開口部となる口部、肩部、円筒形状の胴部、及び底部を有するとともに、樹脂を用いて継ぎ目なく成形される消火剤貯蔵容器を備え、少なくとも前述の胴部の外周表面上又はその上方に顔料を含む層を有し、かつ、４００ｎｍ以上８００ｎｍ以下のいずれの光においても、前述の顔料を含む層の外側から消火剤貯蔵容器の内側への透過率が７５％以下である。
【００１５】
この消火器によれば、少なくとも消火剤貯蔵容器の胴部の外周表面上又はその上方の顔料を含む層が、この消火剤貯蔵容器に入射する光を乱反射させる。これにより、消火剤貯蔵容器を通過する光が焦点を結ぶことが確度高く防止される。また、消火剤貯蔵容器に入射する光が顔料を含む層により乱反射されることにより、消火剤貯蔵容器の内部が視認され難くなる。その結果、収められている消火剤の壁面への付着が消火器の汚れに見えてしまうという虞が大幅に低減される。従って、安全で、かつ消火器が設置される場所の周囲の美観が損なわれない消火器が実現される。
【００１６】
なお、本出願において「顔料を含む層」とは、消火剤貯蔵容器の外周表面上又はその上方にハケやスプレー等を用いて塗布ないし印刷されることにより形成される層、及び当該容器の外周表面上又はその上方に装着される顔料含有フィルムを含む。
【発明の効果】
【００１７】
本発明の消火剤貯蔵容器又は消火器によれば、安全で、かつ消火器が設置される場所の周囲の美観が損なわれない消火剤貯蔵容器又は消火器が実現される。
【図面の簡単な説明】
【００１８】
【図１】本発明の１つの実施形態における消火器を示す全体外観図である。
【図２】本発明の１つの実施形態における消火剤貯蔵容器の側面図である。
【図３】本発明の１つの実施形態における消火剤貯蔵容器の側面断面図である。
【図４】本発明の他の実施形態における消火剤貯蔵容器の側面図である。
【図５】本発明の他の実施形態における消火剤貯蔵容器の側面断面図である。
【図６】本発明の他の実施形態における消火剤貯蔵容器の側面図である。
【図７】本発明の他の実施形態における消火剤貯蔵容器の側面断面図である。
【図８】本発明の他の実施形態における消火剤貯蔵容器の側面図である。
【図９】本発明の他の実施形態における消火剤貯蔵容器の側面断面図である。
【図１０】本発明の他の実施形態における消火剤貯蔵容器の側面図である。
【図１１】本発明の他の実施形態における消火剤貯蔵容器の側面断面図である。
【発明を実施するための形態】
【００１９】
次に、本発明の実施形態を、添付する図面に基づいて詳細に述べる。尚、この説明に際し、全図にわたり、特に言及がない限り、共通する部分には共通する参照符号が付されている。また、図中、本実施形態の要素は必ずしもスケール通りに示されていない。また、各図面を見やすくするために、一部の符号が省略され得る。
【００２０】
＜第１の実施形態＞
図１は、本実施形態の消火器１００の全体外観図である。図２は、消火剤貯蔵容器１１の側面図であり、図３は、消火剤貯蔵容器１１の側面断面図である。
【００２１】
図１に示すように、本実施形態の消火器１００は、蓄圧式の消火器であり、消火剤６０（例えば、粉末消火薬剤）が充填された消火剤貯蔵容器１１と、消火剤貯蔵容器１１の底部と嵌合して消火剤貯蔵容器１１を支持する支持台５０と、消火剤貯蔵容器１１の上方に配設される消火器用操作レバー３０と、消火剤貯蔵容器１１の内部に貯蔵される消火剤６０を消火器用操作レバー３０に導くためのサイホン管７０と、消火器用操作レバー３０を操作することによりサイホン管７０と流通可能に接続される消火器用ホース４０とを備える。
【００２２】
また、消火器用操作レバー３０は、蓋体３１、固定レバー３２、起動レバー３３、起倒杆３４、及び安全栓３５を備えている。本実施形態では、安全栓３５が起倒杆３４と係合することにより、起動レバー３３が固定レバー３２に対して回動不可能な状態に固定される。また、安全栓３５が起倒杆３４との係合状態から解放されると、起動レバー３３が固定レバー３２に対して回動可能な状態になる。
【００２３】
加えて、図１乃至図３に示すように、本実施形態における消火剤貯蔵容器１１は、消火剤貯蔵部１３と、消火剤貯蔵部１３の上部に位置する開口部としての口部１４と、口部１４の外周に形成される雄ネジ部１４ａとで構成される。この雄ネジ部１４ａと消火器用操作レバー３０とが螺合することにより、消火剤貯蔵容器１１と消火器用操作レバー３０とが固定される。尚、消火剤貯蔵容器１１と消火器用操作レバー３０との固定手段は、螺合に限られず、公知の接合手段が適用され得る。
【００２４】
また、本実施形態の消火剤貯蔵容器１１は、マスターバッチ（顔料（ペリノン系レッド）とポリエチレンナフタレート（ＰＥＮ）とを混合したもの）が混合されたポリエチレンナフタレート（ＰＥＮ）で形成されている。加えて、本実施形態の消火剤貯蔵容器１１は、図１乃至図３に示すように、金属製の消火剤貯蔵容器のような継ぎ目が形成されていない。ここで、詳しいメカニズムが明らかではないが、顔料を混合させて消火剤貯蔵容器１１を形成すると、顔料を混合させずに形成する場合と比較して、ガスバリア性を向上させることができるという結果が得られている。従って、本実施形態のように蓄圧式が採用される場合には、内部の圧力の低下を防止することができるため、特の好ましい態様であると考えられる。なお、上述のガス透過性を低減させる観点から、マスターバッチは、ポリエチレンナフタレート（ＰＥＮ）１００部に対してぺリノン系レッド１．３部の割合で混合することにより形成される。また、ポリエチレンナフタレート（ＰＥＮ）に対し、前述のマスターバッチが５％乃至３０％の割合（具体的な一例としては、１０％）で混合される。
【００２５】
加えて、本実施形態の消火剤貯蔵容器１１は、４００ｎｍ以上８００ｎｍ以下のいずれの光においても、透過率が７５％以下となるように形成されている。消火剤貯蔵容器１１の４００ｎｍ以上８００ｎｍ以下の光の透過率が７５％を越えると、消火剤貯蔵容器１１を通過する光が焦点を結ぶ虞が生じ得るためである。すなわち、仮に消火剤貯蔵容器１１を通過する光が焦点を結ぶことになれば、壁面等に焦げつきを生じさることになる。また、消火剤貯蔵容器１１の４００ｎｍ以上８００ｎｍ以下の光の透過率が７５％を越えると、収められている消火剤の壁面への付着が消火器の汚れに見えてしまうことにより、消火器１００が設置される場所の周囲の美観を損なうことになる。他方、消火剤貯蔵容器１１は、４００ｎｍ以上８００ｎｍ以下のいずれの光においても、透過率が１０％以上となるように形成されていることが好ましい。消火剤貯蔵容器１１の４００ｎｍ以上８００ｎｍ以下の光の透過率が１０％未満になると、緊急時に消火剤の残量が確認しづらくなるため実用性が低下することになるためである。
【００２６】
次に、本実施形態の消火剤貯蔵容器１１の製造方法について説明する。マスターバッチ（顔料とポリエチレンナフタレート（ＰＥＮ）とを混合したもの）が混合されたポリエチレンナフタレート製の消火剤貯蔵容器１１は、延伸ブロー成形、溶融整形などの従来公知の樹脂成形方法により製造することができるが、この中でも、開口部を除いて、継ぎ目がなく、成形状態が良好で、かつ適度な肉厚の容器が得られる点で、延伸ブロー成形が好ましい。
【００２７】
本実施形態では、まず、消火剤貯蔵容器１１の材料となる樹脂のペレットと顔料のペレットとを攪拌装置に投入して、攪拌する。次に、攪拌した樹脂のペレットと顔料のペレットとを溶融し、射出金型内にその樹脂と顔料との混合物を射出又は押出することによって、予備成形品（以下、プリフォームという。）を形成する。その後、胴部の円周方向の延伸倍率のスカラー量とその円周方向に垂直な方向の延伸倍率のスカラー量との積が１２倍を超えて延伸された上で、消火剤貯蔵容器１１の側面の肉厚が０．９ｍｍ以上５ｍｍ以下になるように、消火剤貯蔵容器１１が形成される。
【００２８】
上述のとおり、延伸工程が含まれる延伸ブロー成形を行うことによって樹脂の高分子鎖が略一方向に配向するため、樹脂の透明性や強度及び剛性が増大する。従って、延伸ブロー成形を採用すると、本実施形態の消火剤貯蔵容器１１の透明性と耐圧を効率的に高めることができる。なお、消火剤貯蔵容器１１の底面の形状を球面状にして、底面の延伸倍率を略同等にすることは、他の好ましい一態様である。
【００２９】
＜第２の実施形態＞
図４は、本実施形態の消火器の一部を構成する消火剤貯蔵容器２１１及び顔料を含む層（以下、単に顔料層ともいう。）の側面図であり、図５は、その側面断面図である。
【００３０】
本実施形態の消火器は、第１の実施形態の消火剤貯蔵容器１１の代わりに消火剤貯蔵容器２１１及び顔料層２１５を備える点以外は、第１の実施形態と同じ構成を備える。従って、第１の実施形態と重複する説明は省略される。
【００３１】
図４及び図５に示す本実施形態の消火剤貯蔵容器２１１は、ポリエチレンナフタレート（ＰＥＮ）のみで形成されている。この消火剤貯蔵容器２１１の外周表面の上には、顔料層２１５が形成されている。本実施形態では、この顔料層２１５はハケやスプレー等により消火剤貯蔵容器２１１の上に塗布されて形成される。尚、顔料層２１５の形成手段は、上述の塗布に限られず、公知の形成手段が適用され得る。また、顔料層２１５の剥がれを抑制又は防止するために、顔料層２１５の外周表面の上にコーティング剤の層が形成されても良い。
【００３２】
加えて、第１の実施形態の消火剤貯蔵容器１１と同様に、４００ｎｍ以上８００ｎｍ以下のいずれの光においても、顔料層２１５の外側から消火剤貯蔵容器２１１の内側への透過率が７５％以下となるように形成されている。顔料層２１５の外側から消火剤貯蔵容器２１１の内側への４００ｎｍ以上８００ｎｍ以下の光の透過率が７５％を越えると、顔料層２１５及び消火剤貯蔵容器２１１を通過する光が焦点を結ぶ虞が生じ得るためである。すなわち、仮に顔料層２１５及び消火剤貯蔵容器２１１を通過する光が焦点を結ぶことになれば、壁面等に焦げつきを生じさることになる。また、顔料層２１５の外側から消火剤貯蔵容器２１１の内側への４００ｎｍ以上８００ｎｍ以下の光の透過率が７５％を越えると、収められている消火剤の壁面への付着が消火器の汚れに見えてしまうことにより、消火器が設置される場所の周囲の美観を損なうことになる。他方、４００ｎｍ以上８００ｎｍ以下のいずれの光においても、顔料層２１５の外側から消火剤貯蔵容器２１１の内側への透過率が１０％以上となるように形成されていることが好ましい。顔料層２１５の外側から消火剤貯蔵容器２１１の内側への４００ｎｍ以上８００ｎｍ以下の光の透過率が１０％未満になると、緊急時に消火剤の残量が確認しづらくなるため実用性が低下することになるためである。
【００３３】
本実施形態の消火器によれば、消火剤貯蔵容器２１１の材料に顔料が混合されていないため、消火剤貯蔵容器２１１の製造の工程数及びコストを低減することができる。また、消火剤貯蔵容器２１１の材料に顔料が混合されていないため、顔料層２１５を剥がすことにより、消火剤貯蔵容器２１１を再度利用することができる。
【００３４】
＜第３の実施形態＞
図６は、本実施形態の消火器の一部を構成する消火剤貯蔵容器３１１及び顔料層の側面図であり、図７は、その側面断面図である。
【００３５】
本実施形態の消火器は、第１の実施形態の消火剤貯蔵容器１１の代わりに消火剤貯蔵容器３１１及び顔料含有フィルム３１５を備える点以外は、第１の実施形態と同じ構成を備える。従って、第１の実施形態と重複する説明は省略される。
【００３６】
図６及び図７に示す本実施形態の消火剤貯蔵容器３１１は、ポリエチレンナフタレート（ＰＥＮ）のみで形成されている。この消火剤貯蔵容器３１１の外周表面の上に、顔料を含む層としての顔料含有フィルム３１５が装着されている。この顔料含有フィルム３１５は、顔料を混合したポリエチレンテレフタレートにより形成されている。また、この顔料含有フィルム３１５は、伸縮性又は熱収縮性のフィルムにより構成されている。このため、消火剤貯蔵容器３１１に対して密着させた状態で、顔料含有フィルム３１５が装着され得る。
【００３７】
加えて、第１の実施形態の消火剤貯蔵容器１１と同様に、４００ｎｍ以上８００ｎｍ以下のいずれの光においても、顔料含有フィルム３１５の外側から消火剤貯蔵容器３１１の内側への透過率が７５％以下となるように形成されている。顔料含有フィルム３１５の外側から消火剤貯蔵容器３１１の内側への４００ｎｍ以上８００ｎｍ以下の光の透過率が７５％を越えると、顔料含有フィルム３１５及び消火剤貯蔵容器３１１を通過する光が焦点を結ぶ虞が生じ得るためである。すなわち、仮に顔料含有フィルム３１５及び消火剤貯蔵容器３１１を通過する光が焦点を結ぶことになれば、壁面等に焦げつきを生じさることになる。また、顔料含有フィルム３１５の外側から消火剤貯蔵容器３１１の内側への４００ｎｍ以上８００ｎｍ以下の光の透過率が７５％を越えると、収められている消火剤の壁面への付着が消火器の汚れに見えてしまうことにより、消火器が設置される場所の周囲の美観を損なうことになる。他方、４００ｎｍ以上８００ｎｍ以下のいずれの光においても、顔料含有フィルム３１５の外側から消火剤貯蔵容器３１１の内側への透過率が１０％以上となるように形成されていることが好ましい。顔料含有フィルム３１５の外側から消火剤貯蔵容器３１１の内側への４００ｎｍ以上８００ｎｍ以下の光の透過率が１０％未満になると、緊急時に消火剤の残量が確認しづらくなるため実用性が低下することになるためである。
【００３８】
本実施形態の消火器によれば、消火剤貯蔵容器３１１の材料に顔料が混合されていないため、消火剤貯蔵容器３１１の製造の工程数及びコストを低減することができる。また、消火剤貯蔵容器３１１の材料に顔料が混合されていないため、単に顔料含有フィルム３１５を剥がすのみで、消火剤貯蔵容器３１１を再度利用することができる。
【００３９】
＜第４の実施形態＞
図８は、本実施形態の消火器の一部を構成する消火剤貯蔵容器３１１、被覆フィルム及び顔料層の側面図であり、図９は、その側面断面図である。
【００４０】
本実施形態の消火器は、第３の実施形態の顔料含有フィルム３１５の代わりに被覆フィルム４１５及び顔料層４１６を備える点以外は、第３の実施形態と同じ構成を備える。従って、第３の実施形態と重複する説明は省略される。
【００４１】
本実施形態では、図８及び図９に示す消火剤貯蔵容器３１１の外周表面の上に、ポリエチレンテレフタレート（ＰＥＴ）のみで形成されている被覆フィルム４１５が装着されている。この被覆フィルム４１５の外周表面の上に、顔料層４１６が形成されている。本実施形態では、この顔料層４１６はハケやスプレー等により被覆フィルム４１５の上に塗布されて形成される。尚、顔料層４１６の形成手段は、上述の塗布に限られず、公知の形成手段が適用され得る。また、顔料層４１６の剥がれを抑制又は防止するために、顔料層４１６の外周表面の上にコーティング剤の層が形成されても良い。
【００４２】
加えて、第１の実施形態の消火剤貯蔵容器１１と同様に、４００ｎｍ以上８００ｎｍ以下のいずれの光においても、顔料層４１６の外側から消火剤貯蔵容器３１１の内側への透過率が７５％以下となるように形成されている。顔料層４１６の外側から消火剤貯蔵容器３１１の内側への４００ｎｍ以上８００ｎｍ以下の光の透過率が７５％を越えると、顔料層４１６、被覆フィルム４１５、及び消火剤貯蔵容器３１１を通過する光が焦点を結ぶ虞が生じ得るためである。すなわち、仮に顔料層４１６、被覆フィルム４１５、及び消化剤貯蔵容器３１１を通過する光が焦点を結ぶことになれば、壁面等に焦げつきを生じさることになる。また、顔料層４１６の外側から消火剤貯蔵容器３１１の内側への４００ｎｍ以上８００ｎｍ以下の光の透過率が７５％を越えると、収められている消火剤の壁面への付着が消火器の汚れに見えてしまうことにより、消火器が設置される場所の周囲の美観を損なうことになる。他方、４００ｎｍ以上８００ｎｍ以下のいずれの光においても、顔料層４１６の外側から消火剤貯蔵容器３１１の内側への透過率が１０％以上となるように形成されていることが好ましい。顔料層４１６の外側から消火剤貯蔵容器３１１の内側への４００ｎｍ以上８００ｎｍ以下の光の透過率が１０％未満になると、緊急時に消火剤の残量が確認しづらくなるため実用性が低下することになるためである。
【００４３】
本実施形態の消火器によれば、第３の実施形態と同様に、消火剤貯蔵容器３１１の材料に顔料が混合されていないため、消火剤貯蔵容器３１１の製造の工程数及びコストを低減することができる。また、消火剤貯蔵容器３１１の材料に顔料が混合されていないため、単に被覆フィルム４１５を剥がすのみで、消火剤貯蔵容器３１１を再度利用することができる。加えて、被覆フィルム４１５の材料に顔料が混合されていないため、被覆フィルム４１５の製造の工程数及びコストを低減することができる。
【００４４】
＜第５の実施形態＞
図１０は、本実施形態の消火器の一部を構成する消火剤貯蔵容器３１１及び顔料層の側面図であり、図１１は、その側面断面図である。
【００４５】
本実施形態の消火器は、第３の実施形態の顔料含有フィルム３１５の代わりに顔料を含む層としての顔料含有フィルム５１５を備える点以外は、第３の実施形態と同じ構成を備える。従って、第３の実施形態と重複する説明は省略される。
【００４６】
本実施形態では、図１０及び図１１に示す消火剤貯蔵容器３１１の外周表面の上に、顔料含有フィルム５１５が装着されている。この顔料含有フィルム５１５は第３の実施形態の顔料含有フィルム３１５と同じ材料で構成されている。また、この顔料含有フィルム５１５は、消火剤貯蔵容器３１１の一部を覆うように、消火剤貯蔵容器３１１の外周表面の上に装着されている。より詳細には、顔料含有フィルム５１５は、消火剤貯蔵容器３１１の円筒状領域である胴部１３ａの外周表面の上に装着され、断面が曲面状となる肩部１３ｂの一部及び閉ざされた底部１３ｃの一部の外周表面の上には装着されていない。このため、第３の実施形態と比較して、顔料含有フィルム５１５の消火剤貯蔵容器３１１への装着を簡易に行うことができる。
【００４７】
加えて、第１の実施形態の消火剤貯蔵容器１１と同様に、４００ｎｍ以上８００ｎｍ以下のいずれの光においても、顔料含有フィルム５１５の外側から消火剤貯蔵容器３１１の内側への透過率が７５％以下となるように形成されている。顔料含有フィルム５１５の外側から消火剤貯蔵容器３１１の内側への４００ｎｍ以上８００ｎｍ以下の光の透過率が７５％を越えると、収められている消火剤の壁面への付着が消火器の汚れに見えてしまうことにより、消火器が設置される場所の周囲の美観を損なうことになる。他方、４００ｎｍ以上８００ｎｍ以下のいずれの光においても、顔料含有フィルム５１５の外側から消火剤貯蔵容器３１１の内側への透過率が１０％以上となるように形成されていることが好ましい。顔料含有フィルム５１５の外側から消火剤貯蔵容器３１１の内側への４００ｎｍ以上８００ｎｍ以上の光の透過率が１０％未満になると、緊急時に消火剤の残量が確認しづらくなるため実用性が低下ことになるためである。
【００４８】
但し、本実施形態においては、顔料含有フィルム５１５が、断面が曲面状となる肩部１３ｂの一部及び閉ざされた底部１３ｃの一部の外周表面の上には装着されていないため、顔料含有フィルム５１５に覆われない肩部１３ｂの一部が凸レンズの役割を果たす虞を完全には否定できない。つまり、顔料含有フィルム５１５及び消火剤貯蔵容器３１１を通過する光が焦点を結ぶ結果、壁面等に焦げつきを生じさせる虞がある。この観点から、肩部１３ｂの外周表面の上にも顔料含有フィルム３１５が装着される第３の実施形態の方が好ましい。
【００４９】
＜その他の実施形態＞
ところで、上述の各実施形態においては、消火剤貯蔵容器１１、２１１、３１１を構成する樹脂としてポリエチレンナフタレート（ＰＥＮ）が採用されているが、これに限定されない。例えば、ポリエチレンテレフタレート（ＰＥＴ）、ジカルボン酸成分として主にナフタレンジカルボン酸又はテレフタル酸、ジオール成分として主にエチレングリコール又はブタンジオールを用いて重縮合させて得られたポリエステル樹脂、又はこれらのポリエステル樹脂を主とする材料が消火剤貯蔵容器の材料として採用されても、本発明の少なくとも一部の効果が奏されると考えられる。換言すれば共重合ポリエステル樹脂であれば、本発明の少なくとも一部の効果が奏されると考えられる。
【００５０】
また、他の採用され得る消火剤貯蔵容器１１の材料の一例として、ポリエチレンやポリプロピレンなどのポリオレフィン、ポリフェニレンスルファイド、ポリスチレン、又はポリカーボネイトが挙げられる。但し、上述の全ての材料の中でも、ポリエチレンナフタレート（ＰＥＮ）やポリエチレンテレフタレート（ＰＥＴ）が採用されることが、強度の観点から好ましい。また、強度及びガスバリア性の観点から、ポリエチレンナフタレート（ＰＥＮ）が採用されることが好ましい。
【００５１】
また、上述の各実施形態においては、マスターバッチが、ポリエチレンナフタレート（ＰＥＮ）１００部に対してペリノン系レッド１．３部の割合で混合したものであるが、マスターバッチはこれに限定されない。例えば、ポリエチレンナフタレート（ＰＥＮ）１００部に対して酸化チタン（顔料として）を０．１３部の割合で混合したマスターバッチが採用されても、本発明の少なくとも一部の効果が奏されると考えられる。さらに、他の顔料が採用されても、本発明の少なくとも一部の効果が奏されると考えられる。
【００５２】
また、上述の各実施形態の消火剤貯蔵容器１１、２１１、３１１に貯蔵される消火剤６０の種類は特に限定されない、消火剤貯蔵容器を構成する材料への影響がない限り、公知のいかなる消火剤も採用され得る。例えば、粉末状の消火剤の他、液体状の消火剤が採用され得る。加えて、消火剤の充填方法、及びホースやノズル等の構成部品の材質と形状等については、従来から提案されているものが適宜採用され得る。また、上述の第２乃至第５の実施形態の消火剤貯蔵容器はポリエチレンナフタレート（ＰＥＮ）のみで形成されているが、それらの製法は、第１の実施形態の製法と実質的に同様である。
【００５３】
また、消火剤６０の放射方式として、加圧式または蓄圧式のどちらも採用され得る。但し、上述の各実施形態の消火器は蓄圧式のものであり、従来の消火器と同等以上の高圧の消火剤にも対応し得る。尚、上述の第１の実施形態の消火剤貯蔵容器１１は、顔料を含有することによりガスバリア性が向上しているため、蓄圧式の消火器に本発明が適用されることは好ましい一態様である。
【００５４】
また、上述した各実施形態の消火剤貯蔵容器１１、２１１、３１１を構成する材料に対し、変色の防止や耐候性の向上のために、光安定剤、紫外線吸収剤、老化防止剤などの公知の添加剤が適宜配合され得る。
【００５５】
さらに、上述した第２乃至第５の実施形態の消火剤貯蔵容器２１１、３１１の材料に顔料が混合されていない構成が採用されているが、これに限定されない。第２の実施形態においては、顔料層２１５の外側から消火剤貯蔵容器２１１の内側への４００ｎｍ以上８００ｎｍ以下の光の透過率が７５％以下となるように形成されていれば、消火剤貯蔵容器２１１の材料に顔料が混合されていても良い。同様に、第３の実施形態においては顔料含有フィルム３１５の外側から消火剤貯蔵容器３１１の内側への４００ｎｍ以上８００ｎｍ以下の光の透過率が７５％以下となるように形成されていれば、消火剤貯蔵容器３１１の材料に顔料が混合されていても良い。また、第４の実施形態においては顔料層４１６の外側から消火剤貯蔵容器３１１の内側への４００ｎｍ以上８００ｎｍ以下の光の透過率が７５％以下となるように形成されていれば、消火剤貯蔵容器３１１の材料に顔料が混合されていても良い。加えて、第５の実施形態においては顔料含有フィルム５１５の外側から消火剤貯蔵容器３１１の内側への４００ｎｍ以上８００ｎｍ以下の光の透過率が７５％以下となるように形成されていれば、消火剤貯蔵容器３１１の材料に顔料が混合されていても良い。以上、述べたとおり、各実施形態の他の組合せを含む本発明の範囲内に存在する変形例もまた、特許請求の範囲に含まれるものである。
【産業上の利用可能性】
【００５６】
本発明は、高い安全性が得られるとともに、消火器が設置される場所の周囲の美観が損なれることを抑制又は防止できる消火剤貯蔵容器及び消火器として広く利用され得る。
【符号の説明】
【００５７】
１１，２１１，３１１    消火剤貯蔵容器
１３    消火剤貯蔵部
１３ａ    胴部
１３ｂ    肩部
１３ｃ    底部
１４    口部
１４ａ    雄ネジ部
３０    消火器用操作レバー
３１    蓋体
３２    固定レバー
３３    起動レバー
３４    起倒杆
３５    安全栓  
４０    消火器用ホース
５０    支持台
６０    消火剤
７０    サイホン管
１００    消火器
２１５，４１６    顔料層
３１５，５１５    顔料含有フィルム
４１５    被覆フィルム
【図１】
2010221007.tif 000003
【図２】
2010221007.tif 000004
【図３】
2010221007.tif 000005
【図４】
2010221007.tif 000006
【図５】
2010221007.tif 000007
【図６】
2010221007.tif 000008
【図７】
2010221007.tif 000009
【図８】
2010221007.tif 000010
【図９】
2010221007.tif 000011
【図１０】
2010221007.tif 000012
【図１１】
2010221007.tif 000013